(57)【要約】【課題】上蓋（６）のスカート壁（３０）の外周面に配設されている鍔片（３８）の形態に改良を加えて、閉位置に位置せしめられている鍔片に指を掛けて上蓋を開方向に強制する際に指に痛みを感じることが回避乃至緩和されるようになす。【解決手段】上蓋が閉位置に位置せしめられている状態において、鍔片の下面（５０）の少なくとも周方向中央部における少なくとも半径方向外側部を、半径方向内側に向かって漸次下方に傾斜して延びると共に、周方向中心から周方向両側に向かって下方に弧状に延びている形態にする。【選択図】図６
2012020756.tif 000002
【特許請求の範囲】
【請求項１】
容器蓋本体と、該容器蓋本体の上面を覆う閉位置と該容器蓋本体の上面を露呈せしめる開位置との間を旋回自在に該容器蓋本体に接続された上蓋とを具備し、該上蓋は円形天面壁及び該天面壁の外周縁から垂下する円筒形スカート壁を有し、該スカート壁の外周面には弧状鍔片が配設されている合成樹脂製容器蓋において、
該上蓋が該閉位置に位置せしめられている状態において、該鍔片の下面の少なくとも周方向中央部における少なくとも半径方向外側部は、半径方向内側に向かって漸次下方に傾斜して延びると共に、周方向中心から周方向両側に向かって下方に弧状に延びる、ことを特徴とする合成樹脂製容器蓋。
【請求項２】
該鍔片の外周面の少なくとも周方向中央部は該スカート壁と同心状に延在せしめられている、請求項１記載の合成樹脂製容器蓋。
【発明の詳細な説明】
【技術分野】
【０００１】
本発明は、容器の口頸部に装着される容器蓋本体とこの容器蓋本体に閉位置と開位置との間を旋回自在に接続された上蓋を具備し、上蓋の円筒形スカート壁の外周面には弧状鍔片が配設されている合成樹脂製容器蓋に関する。
【背景技術】
【０００２】
液体調味料等を収容した容器のための蓋として、下記特許文献１及び２に開示されている如く、容器の口頸部に装着される容器蓋本体と、容器蓋本体の上面を覆う閉位置と容器蓋本体の上面を露呈せしめる開位置との間を旋回自在に容器蓋本体に接続された上蓋とを具備する合成樹脂製容器蓋が広く実用に供されている。上蓋は円形天面壁とこの天面壁の外周縁から垂下する円筒形スカート壁とを有し、スカート壁の外周面には上蓋を開閉動、特に閉位置から開位置に旋回動する際に指を掛けるための弧状鍔片が配設されている。
【先行技術文献】
【特許文献】
【０００３】
【特許文献１】特開２００７−３０２２９１号公報
【特許文献２】特開２０１０−０５２７７３号公報
【発明の概要】
【発明が解決しようとする課題】
【０００４】
而して、本発明者等の知見によれば、上述した形態の従来の合成樹脂製容器蓋には、閉位置に位置せしめられている上蓋の鍔片、特にその下面乃至外周面に指を掛けて上蓋を開方向に強制する際に、鍔片が指に食い込み、指に痛みを感じることが少なくない、という問題が存在する。
【０００５】
本発明は上記事実に鑑みてなされたものであり、その主たる技術的課題は、鍔片の形態に改良を加えて、閉位置に位置せしめられている鍔片に指を掛けて上蓋を開方向に強制する際に指に痛みを感じることが回避乃至緩和されるようになすことである。
【課題を解決するための手段】
【０００６】
本発明者等は、鋭意検討の結果、上蓋が閉位置に位置せしめられている状態において、鍔片の下面の少なくとも周方向中央部における少なくとも半径方向外側部を、半径方向内側に向かって漸次下方に傾斜して延びると共に、周方向中心から周方向両側に向かって下方に弧状に延びる形態にすることによって、上記主たる技術的課題を解決することができることを見出した。
【０００７】
即ち、本発明によれば、上記主たる技術的課題を達成する合成樹脂製容器蓋として、容器蓋本体と、該容器蓋本体の上面を覆う閉位置と該容器蓋本体の上面を露呈せしめる開位置との間を旋回自在に該容器蓋本体に接続された上蓋とを具備し、該上蓋は円形天面壁及び該天面壁の外周縁から垂下する円筒形スカート壁を有し、該スカート壁の外周面には弧状鍔片が配設されている合成樹脂製容器蓋において、
該上蓋が該閉位置に位置せしめられている状態において、該鍔片の下面の少なくとも周方向中央部における少なくとも半径方向外側部は、半径方向内側に向かって漸次下方に傾斜して延びると共に、周方向中心から周方向両側に向かって下方に弧状に延びる、ことを特徴とする合成樹脂製容器蓋が提供される。
【０００８】
該鍔片の外周面の少なくとも周方向中央部は該スカート壁と同心状に延在せしめられているのが好適である。
【発明の効果】
【０００９】
本発明の合成樹脂製容器蓋においては、半径方向内側に向かって漸次下方に傾斜して延びると共に、周方向中心から周方向両側に向かって下方に弧状に延びる鍔片の下面に、例えば親指の腹部を当接せしめると、親指の腹部の特定局部に鍔片が食い込むといった事態が発生することがなく、親指の腹部が鍔片の下面に円滑に馴染み、従って親指に力を加えて上蓋を開方向に強制しても痛みを感じることが回避乃至緩和される。
【図面の簡単な説明】
【００１０】
【図１】本発明に従って構成された合成樹脂製容器蓋の好適実施形態を、成形型内で成形した状態で示す断面図。
【図２】図１の容器蓋における上蓋の正面図。
【図３】図１の容器蓋における上蓋の側面図。
【図４】図１の容器蓋における上蓋の平面図。
【図５】図１の容器蓋における上蓋の底面図。
【図６】図１の容器蓋の一部を、上蓋を閉位置にせしめた状態で示す断面図。
【発明を実施するための形態】
【００１１】
図１を参照して説明すると、その全体をポリエチレン或いはポリプロピレンの如き適宜の合成樹脂から一体に射出成形することができる、本発明に従って構成された全体を番号２で示す容器蓋は、容器蓋本体４と上蓋６とを具備している。
【００１２】
容器蓋本体４は略円板形態である主壁８を有する。この主壁８には環状に延在する破断可能ライン１０が形成されている。破断可能ライン１０は厚さを局部的に低減せしめた所謂スコアから構成することができる。破断可能ライン１０によって規定された除去領域の片側部には上方に延びる連結柱１２が形成され、この連結柱１２の上端にはリング１４が連結されている。主壁８の上面周縁部には上方に向かって半径方向外方に傾斜して延びる環状係止突条１６が形成されている。この環状係止突条１６の外周面には環状係止溝１８が形成されている。主壁８の上面には、更に、環状係止突条１６と破断可能ライン１０との間において上方に突出する案内筒２０も形成されている。主壁８には、その外周縁から垂下する外側筒壁２２と共に、主壁８の下面から垂下する筒状密封突出片２４も配設されている。外側筒壁２２の内周面には環状係止突条２６が形成されている。
【００１３】
上蓋６は円形天面壁２８とこの天面壁２８の外周縁から垂下する（図１においては上蓋６は天面壁２８の外面を下方に向けた倒立状態で図示されている）円筒形スカート壁３０とを有する。周方向特定部位において、スカート壁３０の下端は接続ヒンジ手段３２を介して容器蓋本体４の外側筒壁２２の上端部に接続されている。天面壁２８の内面には円筒形状の垂下密封筒３４が形成されている。スカート壁３０の内周面下部には環状係止突条３６が形成されている。更に、上記接続ヒンジ手段３２の直径方向反対側において、スカート壁３０の外周面下端部には弧状鍔片３８が配設されている（かかる鍔片３８については後に更に詳述する）。上記連結柱１２は上記除去領域における接続ヒンジ手段３２側の上面で且つ破断可能ライン１０の近傍に配置されている。
【００１４】
図１と共に図６を参照して説明を続けると、上述したとおりの容器蓋２は図６に一部を二点鎖線で図示している口頸部４０を備えた容器に適用される（図６においては、容器蓋２と口頸部４０とを単純に重ね合わせた状態で図示している）。ポリエチレンテレフタレートの如き適宜の合成樹脂或いはガラスから形成することができる容器は、上端面が開放された円筒形状の口頸部４０を備えており、この口頸部４０の外周面上端部には環状係止あご部４２が形成されている。容器蓋２はその容器蓋本体４が口頸部４０に被嵌される。更に詳細には、容器蓋本体４の外側筒壁２２と密封突出片２４との間に口頸部４０が挿入され、外側筒壁２２の環状係止突条２６が口頸部４０の係止あご部４２に係止せしめられ、密封突出片２４が口頸部４０の内周面に密接せしめられ、かくして口頸部４０が密封される。上蓋６は、図６に図示する閉位置に位置せしめられて容器蓋本体４の上面を覆う。上蓋６が閉位置に位置せしめられると、上蓋６の内周面に形成されている環状係止突条３６が容器蓋本体４の係止溝１８に係止せしめられる。
【００１５】
液体調味料の如き容器の内容物を消費する際には、鍔片３８に指を掛けて上蓋６を開位置（例えば図１に実線で図示する位置から２０乃至３０度閉位置に向けて変位した位置）に旋回せしめて、容器蓋本体４の上面を露呈せしめる。次いで、リング１４に指を掛けて引っ張って破断可能ライン１０を破断し、除去領域を離脱せしめ、容器蓋本体４の主壁８に排出開口を生成する。しかる後においては、容器を傾動せしめて案内筒２０を通して内容物を排出することができる。
【００１６】
而して、図示の容器蓋２における上述したとおりの構成及び作用は、本発明に従って構成された容器蓋２の新規な特徴を構成するものではなく、それら自体は周知の形態でよく、それ故にこれらについての詳細な説明は本明細書においては省略する。
【００１７】
図１乃至図６を参照して説明を続けると、図示の実施形態においては上蓋６に形成されている鍔片３８の外周面は実質上鉛直であり、平面図である図４においてスカート壁３０の外周面と同心状に延在する主部４４とかかる主部４４からスカート壁３０の外周面まで弧状（乃至直線状）に延びる両側部４６とを有し、鍔片３８の周方向幅は半径方向内側に向って漸次増大せしめられている（図４乃至図６を参照されたい）。所望ならば、鍔片３８の外周面全体を、平面図において上蓋６のスカート壁３０の曲率半径よりも小さい曲率半径を有する円弧形状にせしめることができ、そしてまた鍔片３８の外周面を下方に向かって半径方向内方に或いは半径方向外方に傾斜せしめることもできる。鍔片３８の上面４８は半径方向外方に向かって下方に傾斜して延在せしめられているのが好都合である。一方、本発明に従って構成された容器蓋２においては、上蓋６が閉位置に位置せしめられている状態において、鍔片３８の下面５０の少なくとも周方向中央部における少なくとも半径方向外側部は、半径方向内側に向かって漸次下方に傾斜して延びると共に、周方向中心から周方向両側に向かって下方に弧状に延びていることが重要である。図示の実施形態においては、図２、図４及び図６を参照することによって明確に理解される如く、番号５２で示す周方向中央部において且つ半径方向全幅において、鍔片３８の下面５０は、半径方向内側に向かって漸次下方に傾斜して延びると共に、周方向中心から周方向両側に向かって下方に弧状に延びている。図６における実線は図５の線Ａに沿った断面図であり、二点鎖線Ｂは図５の線Ｂに沿った断面図を示し、二点鎖線Ｃは図５の線Ｃに沿った断面図を示している。鍔片３８の下面５０の周方向中心から周方向両側に至る上述した形状については、図２と共に図６の実線並びに二点鎖線Ｂ及びＣを参照することによって明確に理解されるであろう。
【００１８】
鍔片３８の下面が上述したとおりの形態にせしめられている容器蓋２においては、上蓋６を閉位置から開位置に回動せしめる際には、図６に二点鎖線で示す如く、鍔片３８の下面に例えば親指の腹部５４を当接せしめて上蓋６を開方向に強制することができる。鍔片３８の下面が上述したとおりの形態にせしめられている故に、親指の腹部５４の特定部位に鍔片３８が食い込むことがなく、親指の腹部５４が鍔片３８の下面５０に円滑に馴染み、それ故に親指の腹部５４に痛みを感じることが回避乃至充分に緩和される。
【符号の説明】
【００１９】
２：容器蓋
４：容器蓋本体
６：上蓋
２８：上蓋の天面壁
３０：上蓋のスカート壁
３８：鍔片
５０：鍔片の下面
【図１】
2012020756.tif 000003
【図２】
2012020756.tif 000004
【図３】
2012020756.tif 000005
【図４】
2012020756.tif 000006
【図５】
2012020756.tif 000007
【図６】
2012020756.tif 000008